(57)【要約】【課題】駆動用の電力供給源として商用電力を用いることによる発生する制約を最小限なものとすることが可能なフラットディスプレイパネルを用いた画像表示装置を実現することを目的とする。【解決手段】フラットディスプレイパネル２と、前記フラットディスプレイパネル２が設置され且つ前記フラットディスプレイパネル２を駆動する際の電力供給源としての燃料電池４を有する設置手段３とを備える画像表示装置１である。  以上により、商用電力の供給を受けるための、いわゆるコンセントの設置の有無等の面からの制約を最小限とすることが可能なフラットパネルディスプレイ２を用いた画像表示装置１を実現できる。【選択図】図１
2006011188.tif 000002
【特許請求の範囲】
【請求項１】
フラットディスプレイパネルと、前記フラットディスプレイパネルが設置され且つ前記フラットディスプレイパネルを駆動する際の電力供給源としての燃料電池を有する設置手段とを備える画像表示装置。
【請求項２】
前記フラットディスプレイパネルを駆動する回路と前記燃料電池との電気的な接続が、前記フラットディスプレイパネルを前記設置手段に設置するための設置手段を介して行われる請求項１に記載の画像表示装置。
【請求項３】
前記フラットディスプレイパネルの駆動を、商用電力の供給状態に応じて、商用電力による駆動と前記燃料電池による駆動とを切り替えて行う請求項１に記載の画像表示装置。
【請求項４】
前記フラットディスプレイパネルが、プラズマディスプレイパネルである請求項１から３のいずれかに記載の画像表示装置。
【発明の詳細な説明】
【技術分野】
【０００１】
本発明は、各種の映像、ＰＣからの出力等、画像を表示するフラットディスプレイパネルを備える画像表示装置に関するものである。
【背景技術】
【０００２】
近年、フラットディスプレイパネルとしてプラズマディスプレイパネル（ＰＤＰ）や液晶テレビ（ＬＣＤ）などが普及してきている。ここで、これらフラットディスプレイパネルは、映像を映し出すための駆動用の電力源として交流の商用電力（商業電力）を用い、これを直流に変換した上で駆動している。そのため、フラットディスプレイパネルは交流電力からの電力を供給されるという形態となっている（例えば、非特許文献１参照）。
【非特許文献１】"取扱説明書（テレビ編）品番ＴＨ−５０ＰＸ３００他"、松下電器産業株式会社、［平成１６年６月１６日検索］、インターネット＜ＵＲＬ：ｈｔｔｐ：／／ｃｎｃ．ａｓｐ．ｈｉ−ｈｏ．ｎｅ．ｊｐ／ｃｎｃ／ｍａｎｕａｌ／２００４／ｔｖ／ｔｈ＿５０＿４２＿３７ｐｘ３００＿ｔｖ．ｐｄｆ＞ｐ１４
【発明の開示】
【発明が解決しようとする課題】
【０００３】
フラットディスプレイパネルはブラウン管タイプのテレビに比べて軽量であることから持ち運んで利用する機会が多くなる。特にプラズマディスプレイパネルは、自発光、大画面での画像表示が可能であることから、屋外を含め、多様な場所での使用に対する需要がある。
【０００４】
しかし、電力源として商用電力（商業電力）を用いる場合、商用電力の供給を受けるための、いわゆるコンセントの設置の有無等の面からの制約により、使用できる場所の自由度が制限されてしまうという問題があった。
【０００５】
また、フラットディスプレイパネルは、その開発過程において各種の信頼性試験を行っている。例えば、輸送時における信頼性を確認するための輸送試験や、標高の高い場所での信頼性を確認するための高地試験などである。そしてこれら信頼性試験においても、電力源として商業電力を用いる場合においては、上述と同様の理由により、その試験を実施する場所などに対する制約が発生してしまい、信頼性試験の円滑な遂行が困難となる場合があった。
【０００６】
また、停電などにより商業電力の供給が途絶えた環境下の場合においては、薄型テレビでの画像表示ができなくなるのは勿論のこと、例えば二次電池に対する充電もできなくなることから、非常時に、二次電池を電力供給源として用いて画像表示を行うということについても困難となる。
【０００７】
本発明は上記課題に鑑みてなされたものであり、駆動用の電力供給源として商用電力を用いることによる発生する制約を最小限なものとすることが可能なフラットディスプレイパネルを用いた画像表示装置を実現することを目的とする。
【課題を解決するための手段】
【０００８】
上記課題を解決するために本発明の画像表示装置は、フラットディスプレイパネルと、前記フラットディスプレイパネルが設置され且つ前記フラットディスプレイパネルを駆動する際の電力供給源としての燃料電池を有する設置手段とを備えるものである。
【発明の効果】
【０００９】
本発明によれば、フラットディスプレイパネルが設置される設置手段がフラットディスプレイパネルを駆動する際の電力供給源としての燃料電池を備えているので、このことにより商用電力の供給を受けるための、いわゆるコンセントの設置の有無等の面からの制約を最小限とすることが可能なフラットパネルディスプレイを用いた画像表示装置を実現することができる。
【発明を実施するための最良の形態】
【００１０】
すなわち、本発明の請求項１に記載の発明は、フラットディスプレイパネルと、前記フラットディスプレイパネルが設置され且つ前記フラットディスプレイパネルを駆動する際の電力供給源としての燃料電池を有する設置手段とを備える画像表示装置である。
【００１１】
また、請求項２に記載の発明は、請求項１に記載の発明において、前記フラットディスプレイパネルを駆動する回路と前記燃料電池との電気的な接続が、前記フラットディスプレイパネルを前記設置手段に設置するための設置手段を介して行われるものである。
【００１２】
また、請求項３に記載の発明は、請求項１に記載の発明において、前記フラットディスプレイパネルの駆動を、商用電力の供給状態に応じて、商用電力による駆動と前記燃料電池による駆動とを切り替えて行うものである。
【００１３】
また、請求項４に記載の発明は、請求項１から３のいずれかに記載の発明において、前記フラットディスプレイパネルが、プラズマディスプレイパネルであるというものである。
【００１４】
以下、本発明の一実施の形態による画像表示装置について、図面を用いて説明する。図１は、本発明の一実施の形態による画像表示装置の概略構成を示す斜視図である。画像表示装置１は、画像を表示するフラットパネルディスプレイ２、およびフラットパネルディスプレイ２を設置する設置手段３である台を有する。設置手段３は、その内部にフラットディスプレイパネル２を駆動するための電力供給源としての燃料電池４を備えており、また、フラットディスプレイパネル２は支柱５を介して設置される構成となっている。
【００１５】
図２は、本発明の一実施の形態による画像表示装置を背面から見た図である。
【００１６】
燃料電池４の電源端子４ａ（図示せず）が配線６によって設置手段３の支柱５の内部に設けられた電極５ａ、５ｂに接続されている。フラットパネルディスプレイ２には支柱５と嵌合する支柱ホルダー７が設けられており、支柱ホルダー７内にはフラットパネルディスプレイ２を駆動するための各回路を動作させるための電源（図示せず）につながり、且つ前記電極５ａ、５ｂと接触する電極７ａ、７ｂが設けられている。そして、設置手段３である台の支柱５にフラットパネルディスプレイ２の支柱ホルダー７を嵌合させることにより、フラットパネルディスプレイ２を設置手段３に設置すると、左右それぞれにおいて、電極５ａと電極７ａが、また電極５ｂと電極７ｂとが接触し、これによりフラットパネルディスプレイ２を駆動するための各回路を動作させるための電源と燃料電池４とが電気的に接続される。
【００１７】
ここで、図３に、回路構成の概略をブロック図で示す。切り替え手段８は、フラットパネルディスプレイ２を駆動するための電力供給源として、商用電力と燃料電池とを、商用電力の供給状態に応じて切り替えるものである。すなわち、商用電力の供給がフラットパネルディスプレイ２の駆動に不十分な場合には、電力供給源として燃料電池を用いるようにし、また、商用電力の供給がフラットパネルディスプレイ２の駆動に十分である場合には、電力供給源として商用電力とするものである。また９は、フラットパネルディスプレイ２を駆動するための各回路を動作させるための電源である。以上の構成により、フラットディスプレイパネル２はその駆動のための電力供給源として、商用電力と燃料電池とを切り替えて駆動できる。
【００１８】
ここで、図４を用いて、支柱５と支柱ホルダー７との嵌め合わせについて説明する。図４（ａ）は、支柱５に支柱ホルダー７を嵌め合わせる前の状態である。支柱５は、外面と内側とは異なる材料でできており、外面は導電性材料であり、内側は絶縁材料になっている。電極５ａ、５ｂは、支柱５の絶縁部分で固定されている。また、支柱ホルダー７においては、その内面は導電材料であり、電極７ａ、７ｂとは電気的に絶縁されている。
【００１９】
そして、図４（ｂ）に示すように、支柱５と支柱ホルダー７とが嵌め合わされると、電極５ａと電極７ａとが、また電極５ｂと電極７ｂとがそれぞれ電気的に接続される。また、支柱５と支柱ホルダー７も嵌合部の接触によって電気的に接続され、シールド効果が劣化しないようになっている。
【００２０】
以上の構成によれば、フラットパネルディスプレイ２を設置手段３である台に設置するだけで電気的接続が行われるため、配線を別途行う必要がなく簡単である。
【００２１】
また、商業電源が使える時にはそれを優先して使うように電力供給源の切り替えを行うので、無駄に電池を消耗することが無く、場所を移動しての使用や非常時の使用に備えることができる。なお、電力の供給のない環境下において、燃料電池を使用する場合は、燃料を補給することで長時間の連続使用が可能となる、連続使用のためには充電が必要な二次電池を用いる場合に比べ非常に有利である。
【産業上の利用可能性】
【００２２】
以上説明したように本発明によれば、フラットディスプレイパネルが設置される設置手段がフラットディスプレイパネルを駆動する際の電力供給源としての燃料電池を備えているので、このことにより商用電力の供給を受けるための、いわゆるコンセントの設置の有無等の面からの制約を最小限とすることが可能なフラットパネルディスプレイを用いた画像表示装置を提供することができる。
【図面の簡単な説明】
【００２３】
【図１】本発明の一実施の形態による画像表示装置の概略構成を示す斜視図
【図２】本発明の一実施の形態による画像表示装置の概略構成を示す背面からの正面図
【図３】本発明の一実施の形態による画像表示装置の概略構成を示すブロック図
【図４】本発明の一実施の形態による画像表示装置における設置手段の概略構成を示す図
【符号の説明】
【００２４】
１  画像表示装置
２  フラットパネルディスプレイ
３  設置手段（台）
４  燃料電池
５  支柱
５ａ、５ｂ  電極
６  配線
７  支柱ホルダー
７ａ、７ｂ  電極
８  切り替え手段
９  電源
【図１】
2006011188.tif 000003
【図２】
2006011188.tif 000004
【図３】
2006011188.tif 000005
【図４】
2006011188.tif 000006